(57)【要約】一般的にはＷＬＡＮ／ＷＷＡＮを経由してＩＭＳにアクセスする方法およびアーキテクチャを開示し、特に既存の関連の標準規格を考慮したＷＬＡＮ／ＷＷＡＮを経由してＩＭＳにアクセスする方法およびアーキテクチャを開示する。より具体的には、本発明はＷＬＡＮ／ＷＷＡＮを経由したＩＭＳアクセスを可能にする新しいインターフェースと、こうしたインターフェースを実装する例示的な方法およびアーキテクチャを提供する。
2006525762.tif 000002
【特許請求の範囲】
【請求項１】
無線ローカルエリアネットワーク（ＷＬＡＮ）および無線ワイドエリアネットワーク（ＷＷＡＮ）の１つからインターネットプロトコルマルチメディアサブシステム（ＩＭＳ）へのアクセスを可能にする装置であって、
前記ＩＭＳと前記ＷＬＡＮおよび前記ＷＷＡＮの１つとの間で結合され、前記ＷＬＡＮおよび前記ＷＷＡＮの前記１つの内部で動作する加入者にＩＭＳサービスを提供するパケットデータゲートウェイ（ＰＤＧ）を備えることを特徴とする装置。
【請求項２】
前記ＩＭＳは呼状態制御機能（ＣＳＣＦ）のサブシステムであり、前記ＰＤＧは前記ＣＳＣＦに結合されることを特徴とする請求項１に記載の装置。
【請求項３】
ＩＭＳはセッション開始プロトコル（ＳＩＰ）メッセージをルーティングする手段を含むことを特徴とする請求項１に記載の装置。
【請求項４】
パケットデータネットワーク（ＰＤＮ）をさらに備え、
前記ＰＤＧは、前記ＰＤＮと前記ＷＬＡＮおよびＷＷＡＮの１つとの間でパケットデータを通信する手段を有していることを特徴とする請求項１に記載の装置。
【請求項５】
少なくとも１台の無線送受信装置（ＷＴＲＵ）をさらに備え、
前記ＷＬＡＮおよび前記ＷＷＡＮの前記１つは、前記ＷＴＲＵとの間でＳＩＰメッセージを送信／受信するためのアクセスネットワークを含むことを特徴とする請求項１に記載の装置。
【請求項６】
前記ＰＤＧは、第１のセルラーネットワーク（ＦＣＮＷ：ｆｉｒｓｔ  ｃｅｌｌｕｌａｒ  ｎｅｔｗｏｒｋ）の一部であり、
第２のセルラーネットワーク（ＳＣＮＷ：ｓｅｃｏｎｄ  ｃｅｌｌｕｌａｒ  ｎｅｔｗｏｒｋ）内の第２のパケットゲートウェイ（ＳＰＤＧ：ｓｅｃｏｎｄ  ｐａｃｋｅｔ  ｇａｔｅｗａｙ）と、
前記ＦＣＮＷと前記ＳＣＮＷ内のＰＤＧからのパケットデータ（ＰＤ）を前記アクセスネットワークに選択的に結合する前記ＦＣＮＷ内のボーダーゲートウェイ（ＢＧＷ）と、
をさらに備えることを特徴とする請求項５に記載の装置。
【請求項７】
メディアゲートウェイ（ＭＧＷ）をさらに備え、
前記ＰＤＧは、前記ＭＧＷからのメディアサービスを前記ＷＬＡＮおよび前記ＷＷＡＮの１つに結合する手段を有していることを特徴とする請求項１に記載の装置。
【請求項８】
前記ＣＳＣＦをセルラーネットワークに結合し、前記セルラーネットワークと前記ＷＬＡＮおよび前記ＷＷＡＮの１つとの間でメッセージを提供するゲートウェイ汎用パケット無線サービスサポートノード（ＧＧＳＮ）
をさらに備えることを特徴とする請求項２に記載の装置。
【請求項９】
呼状態制御機能（ＣＳＣＦ）の一部を形成するインターネットプロトコルマルチメディアサブシステムを有するセルラーネットワークと相互作用する無線ローカルエリアネットワーク（ＷＬＡＮ）と通信する無線送信／受信装置（ＷＴＲＵ）にサービスを提供する際に使用するために、パケットデータゲートウェイ（ＰＤＧ）を使用する方法であって、
前記ＰＤＧが、パケットデータネットワークとＷＴＲＵとの間で前記ＷＬＡＮを経由してパケットデータをルーティングするステップを備えることを特徴とする方法。
【請求項１０】
呼状態制御機能（ＣＳＣＦ）の一部となるインターネットプロトコルマルチメディアサブシステム（ＩＭＳ）を備えるセルラーネットワークと相互作用する無線ローカルエリアネットワーク（ＷＬＡＮ）と通信する無線送信／受信装置（ＷＴＲＵ）にサービスを提供する際に使用するために、パケットデータゲートウェイ（ＰＤＧ）を使用する方法であって、
前記セルラーネットワークが、ショートメッセージ、送信プロトコルデータユニット（ＴＰＤＵ）を生成するステップと、
前記ＰＤＧが、
前記ショートメッセージＴＰＤＵを受信するステップと、
前記ショートメッセージＴＰＤＵのエラーをチェックするステップと、
前記ショートメッセージＴＰＤＵをカプセル化して前記ＷＴＲＵのターゲットの１つに送信するステップと、
を備えることを特徴とする方法。
【請求項１１】
前記ＰＤＧが、
前記ＷＴＲＵからの配信を受信するステップと、
前記ターゲットＷＴＲＵに前記ショートメッセージＴＰＤＵが配信されたことの確認を前記セルラーネットワークに送信するステップと、
をさらに備えることを特徴とする請求項１０に記載の方法。
【請求項１２】
前記ＰＤＧが、
前記ＷＴＲＵからの配信エラーを受信するステップと、
前記ターゲットＷＴＲＵへの前記ショートメッセージＴＰＤＵの配信が失敗したというメッセージを前記セルラーネットワークに送信するステップと、
をさらに備えることを特徴とする請求項１０に記載の方法。
【請求項１３】
前記ショートメッセージはインターネットプロトコル（ＩＰ）でフォーマットされることを特徴とする請求項１０に記載の方法。
【請求項１４】
無線ローカルエリアネットワーク（ＷＬＡＮ）および／または無線ワイドエリアネットワーク（ＷＷＡＮ）を経由してインターネットプロトコルマルチメディアサブシステム（ＩＭＳ）にアクセスする、標準の３ＧＰＰ  ＴＳ  ２３．２３４と互換の方法であって、
前記ＩＭＳと前記ＷＬＡＮ／ＷＷＡＮの１つとの間にパケットデータゲートウェイ（ＰＤＧ）を提供するステップであって、前記ＷＬＡＮ／ＷＷＡＮの前記１つを経由した３ＧＰＰベースのＩＭＳアクセスを可能にすることを備えることを特徴とする方法。
【請求項１５】
前記ＩＭＳは呼状態制御機能（ＣＳＣＦ）を備えており、
前記ＣＳＣＦと前記ＰＤＧとの間に第１のパケットデータインターフェースを提供するステップと、
前記ＷＬＡＮ／ＷＷＡＮの前記１つと前記ＰＤＧとの間に第２のパケットデータインターフェースを提供するステップと、
をさらに備えることを特徴とする請求項１４に記載の方法。
【請求項１６】
前記ＩＭＳは呼状態制御機能（ＣＳＣＦ）を備えており、
前記ＣＳＣＦと前記ＰＤＧとの間に第１のＷｉインターフェースを提供するステップと、
前記ＷＬＡＮ／ＷＷＡＮの前記１つと前記ＰＤＧとの間に第２のＷｉインターフェースを提供するステップと、
をさらに備えることを特徴とする請求項１４に記載の方法。
【請求項１７】
メディアゲートウェイ（ＭＧＷ）が備えられ、
前記ＭＧＷと前記ＰＤＧとの間に第３のパケットデータインターフェースを提供するステップをさらに備えることを特徴とする請求項１５に記載の方法。
【請求項１８】
メディアゲートウェイ（ＭＧＷ）が備えられ、
前記ＭＧＷと前記ＰＤＧとの間に第３のＷｉインターフェースを提供するステップをさらに備えることを特徴とする請求項１６に記載の方法。
【請求項１９】
前記ＰＤＧはＷＬＡＮ／ＷＷＡＮ−３ＧＰＰ接続されたユーザに対してルーティング情報を提供することを特徴とする請求項１４に記載の方法。
【請求項２０】
前記ＰＤＧはパケットデータネットワーク（ＰＤＮ）との間で受信および送信されるパケットデータをルーティングすることを特徴とする請求項１４に記載の方法。
【請求項２１】
前記ＰＤＧはアドレスの変換とマッピングを実行することを特徴とする請求項１４に記載の方法。
【請求項２２】
前記ＰＤＧはカプセル化を実行することを特徴とする請求項１４に記載の方法。
【請求項２３】
前記ＰＤＧは前記ＷＬＡＮ／ＷＷＡＮの前記１つと通信するユーザ装置（ＵＥ）のデータトラフィックに関連する課金情報を生成することを特徴とする請求項１４に記載の方法。
【請求項２４】
前記ＰＤＧは、
ショートメッセージ送信プロトコルデータユニット（ＴＰＤＵ）を受信し、
前記ショートメッセージをカプセル化し、ターゲットのユーザ装置（ＵＥ）に送信することを特徴とする請求項１４に記載の方法。
【発明の詳細な説明】
【技術分野】
【０００１】
本発明は一般にインターネットマルチメディアサブシステムに関し、より詳細には無線ローカルエリアネットワークにおいてインターネットプロトコルマルチメディアサブシステム（ＩＭＳ）にアクセスする方法およびアーキテクチャに関する。
【背景技術】
【０００２】
標準的なネットワークにおいてＩＭＳにアクセスするためのアーキテクチャは、非常に一般的であり、当業者にはかなりよく知られている。しかし、ＷＬＡＮにおいてＩＭＳにアクセスすることは、既知のＷＬＡＮアーキテクチャに対してある種の変更が必要になるため、異なる事柄である。
【０００３】
本明細書で使用する以下の頭字語のリストは、本発明の理解を深めるために役立つ。
３ＧＰＰ（3rd generation partnership project）
第３世代パートナーシッププロジェクト
ＡＡＡ（authentication, authorization, accounting）
認証、認可、課金
ＢＧ（border gateway）                   ボーダーゲートウェイ
ＣＣＦ（call control function）          呼制御機能
Ｃ−ＧＷ（control gateway）              制御ゲートウェイ
ＣＳＣＦ（call state control function）  呼状態制御機能
ＧＧＳＮ（gateway GPRS support node）    ゲートウェイＧＰＲＳサポートノード
ＧＭＳＣ（gateway MSC）                  ゲートウェイＭＳＣ
ＧＰＲＳ（general packet radio system）  汎用パケット無線システム
ＨＬＲ（home location register）         ホームロケーションレジスタ
ＨＳＳ（home subscriber service）        ホームサブスクライバサービス
ＩＭＳ（internet protocol multimedia subsystem）
インターネットプロトコルマルチメディアサブシステム
ＩＭ（internet protocol multimedia）    インターネットプロトコルマルチメディア
ＩＰ（internet protocol）                 インターネットプロトコル
Ｉ−ＷＬＡＮ（interworked WLAN）          相互作用ＷＬＡＮ
ＩＷＭＳＣ（interworking MSC for SMS）    ＳＭＳ用相互作用ＭＳＣ
ＭＧＣＦ（media gateway control function）
メディアゲートウェイ制御機能
ＭＧＷ（media gateway）                   メディアゲートウェイ
ＭＴ（mobile terminal）                   移動端末
ＯＣＳ（on line charging system）         オンライン課金システム
ＰＤＧ（packet data gateway）             パケットデータゲートウェイ
ＰＤＮ（packet data network）             パケットデータネットワーク
ＰＳ（packet switched）                   パケット交換
ＲＰ−ＤＡ（relay sublayer protocol-destination address）
リレーサブレイヤプロトコル−デスティネーションアドレス
Ｒ−ＳＧＷ（roaming SGW）                 ローミングＳＧＷ
Ｓ−ＣＳＣＦ（serving call state control function）
サービング呼状態制御機能
ＳＧＳＮ（serving GPRS support node）     サービングＧＰＲＳサポートノード
ＳＧＷ（signaling gateway）               シグナリングゲートウェイ
ＳＩＰ（session initiation protocol）     セッション開始プロトコル
ＳＭＳ（short messaging service）         ショートメッセージサービス
ＳＮＣＩ（serving network contact information）
サービングネットワークコンタクト情報
ＴＥ（terminal equipment）                端末装置
ＴＰＤＵ（transfer protocol data unit）   送信プロトコルデータユニット
Ｔ−ＳＧＷ（transport SGW）               トランスポートＳＧＷ
ＵＥ（user equipment）                    ユーザ装置
ＵＭＴＳ（universal mobile telecommunication system）
ユニバーサル移動体通信サービス
ＵＴＲＡＮ（UMTS terrestrial radio access network）
ＵＭＴＳ陸上無線アクセスネットワーク
ＶＬＲ（visitor location register）       ビジターロケーションレジスタ
ＷＬＡＮ（wireless local area network）   無線ローカルエリアネットワーク
ＷＷＡＮ（wireless wide area network）    無線ワイドエリアネットワーク
【発明の開示】
【発明が解決しようとする課題】
【０００４】
しかしながら、こうした変更は、既知のアーキテクチャでも、ＷＬＡＮにおけるＩＭＳの利用を規制し指導する標準規格でも対処されていない。したがって、ＷＬＡＮおよびＷＷＡＮにおいてＩＭＳにアクセスするための適切なアーキテクチャが必要である。
【課題を解決するための手段】
【０００５】
本発明は、一般的にはＷＬＡＮ／ＷＷＡＮを経由してＩＭＳにアクセスする方法およびアーキテクチャを提供し、特に既存の関連の標準規格を考慮したＷＬＡＮ／ＷＷＡＮを経由してＩＭＳにアクセスする方法およびアーキテクチャを提供する。より具体的には、本発明はＷＬＡＮ／ＷＷＡＮを経由したＩＭＳアクセスを可能にする新しいインターフェースと、こうしたインターフェースを実装する例示的な方法およびアーキテクチャを提供する。
【発明を実施するための最良の形態】
【０００６】
例として、以下に示す好ましい実施形態の説明を添付の図面と組み合わせて理解することにより、本発明をより詳細に理解できる。図面では、同じ要素は同じ番号で示されている。本発明について、同じ数字が全体にわたって同じ要素を示している図面を参照しながら説明する。
【０００７】
本明細書の以下の部分で、ユーザ装置（ＵＥ）には、無線送受信装置（ＷＴＲＵ：ｗｉｒｅｌｅｓｓ  ｔｒａｎｓｍｉｔ／ｒｅｃｅｉｖｅ  ｕｎｉｔ）、移動局（ｍｏｂｉｌｅ  ｓｔａｔｉｏｎ）、据え付け型または移動式の加入者装置（ｓｕｂｓｃｒｉｂｅｒ  ｕｎｉｔ）、ページャ、または無線環境で動作する他の任意のタイプの装置が含まれるが、これらに限定はされない。以下で言及する場合、基地局（ｂａｓｅ  ｓｔａｔｉｏｎ）にはノードＢ、サイトコントローラ、アクセスポイント、または無線環境で動作する他の任意のインターフェース装置が含まれるが、これらに限定はされない。
【０００８】
本発明は、ＷＬＡＮを経由してＩＭＳサービスにアクセスするための方法およびアーキテクチャを対象とする。一方ではＩＭＳサブシステム（ＣＳＣＦ）とＰＤＧとの接続ポイントとインターフェースについて詳しく説明し、他方ではメディアゲートウェイ（ＭＧＷ）とＰＤＧについて説明する。本明細書では、既存の標準規格ＴＳ  ２３．２３４に組み込まれるＩＭＳにアクセスする方法が述べられる。より詳細には、ＩＭＳアクセスのための手順を対象とする既存の標準規格の７．８項を参照することができる。以下の説明は、例えばＵＭＴＳまたはＣＤＭＡ  ２０００の設定における８０２．１１を含む既存の標準規格に適用可能なアーキテクチャを一般に対象にする。しかし、本発明は広義にはその他の送信システムにも制限なく適用できる。
【０００９】
図１を参照すると、標準規格のＴＳ  ２３．２３４に組み込まれ、ＷＬＡＮを経由したＩＭＳアクセスを可能にする従来のアーキテクチャが示されている。既存の参照アーキテクチャでは、ＣＳＣＦとＧＧＳＮとのＧｉインターフェースを経由した直接接続が必要なことがわかる。この接続を使用して、パケット交換（ＰＳ）ドメイン内で動作する装置とＩＭＳサブシステム（すなわちＣＳＣＦ）内で動作する装置との間で発信／終端ＳＩＰメッセージをルーティングする。
【００１０】
しかし、図２に示すＷＬＡＮ−ＵＭＴＳネットワークアーキテクチャモデルを使用した相互作用ＷＬＡＮ（Ｉ−ＷＬＡＮ）を経由してＩＭＳサービスにアクセスするために、新しく追加されたＰＤＧノードとＩＭＳサブシステム（ＣＳＣＦ）の間に直接接続が提供される。この参照ポイントは、他の参照ポイントと同様に機能する。
【００１１】
より具体的には、図２は任意選択のＷＬＡＮボーダーゲートウェイ（ＢＧ）を使用するホーム３ＧＰＰネットワーク１２３とビジター３ＧＰＰネットワーク１１３を別々に備えるＷＬＡＮ−３ＧＰＰ相互作用アーキテクチャ１００を示すハードウェアブロック図である。ＷＬＡＮユーザ装置（ＵＥ）１０５は、ＷＬＡＮアクセスネットワーク１０９に結合される。ＷＬＡＮアクセスネットワーク１０９には、一般的に１つまたは複数の中間ネットワークが含まれる。ＷＬＡＮアクセスネットワーク１０９は、インターネット／イントラネット１０１として示されるインターネットおよび／またはイントラネットに結合される。
【００１２】
ＷＬＡＮアクセスネットワーク１０９は、ＷＬＡＮ  ＢＧ  １１７および／または任意選択で３ＧＰＰ  ＡＡＡプロキシサーバ１２０を経由して３ＧＰＰビジターネットワーク１１３にアクセスする。ＷＬＡＮアクセスネットワーク１０９とＷＬＡＮアクセスゲートウェイ１１７との通信は、中間ネットワークを経由したデータのトンネリングを表すＷｎインターフェースを経由している。ＷＬＡＮアクセスネットワーク１０９と任意選択の３ＧＰＰ  ＡＡＡプロキシサーバ１２０とのリンクはＷｒ／Ｗｂインターフェースを経由している。ただし、Ｗｒは無線ＬＡＮ認証機能（３ＧＰＰへの情報の流れ）、Ｗｂは無線ＬＡＮ課金機能である。ＷＬＡＮ  ＢＧ  １１７はＰＤＧ  １１９にも結合され、さらにＰＤＮ  １３８へのアクセスを表すＷｉインターフェースを経由してパケットデータネットワーク（ＰＤＮ）１３８にアクセスする。３ＧＰＰ  ＡＡＡプロキシサーバ１２０は、課金ゲートウェイ機能を表すＷｆインターフェースを経由して制御ゲートウェイすなわち呼制御機能（Ｃ−Ｇｗ  ＣＣＦ）１２２に結合される。
【００１３】
第２のＰＤＧ  １２４は、前述の中間ネットワークを経由したデータのトンネリングを表すＷｎインターフェースを経由して３ＧＰＰビジターネットワーク１１３のＷＬＡＮ  ＢＧ  １１７にリンクされる。ＰＤＧ  １２４は、前述のＷｉインターフェースを経由してＰＤＮ  １３６にリンクされる。ＰＤＮ  １３６はＰＤＮ  １３８と同一のネットワークでもよい。ＰＤＧ  １２４は、Ｗｍインターフェースを経由して３ＧＰＰ  ＡＡＡプロキシサーバ１２６にリンクされる。３ＧＰＰ  ＡＡＡプロキシサーバ１２６は、前述のＷｒ／Ｗｂインターフェースを経由して３ＧＰＰビジターネットワーク１１３の３ＧＰＰ  ＡＡＡプロキシサーバ１２０にリンクされる。３ＧＰＰ  ＡＡＡプロキシサーバ１２６は、オンライン課金システム（ＯＣＳ）１２８、ＨＳＳ  １３０、ＨＬＲ  １３２、およびＣ−Ｇｗ  ＣＣＦ  １３４にリンクされる。ＯＣＳ  １２８と３ＧＰＰ  ＡＡＡプロキシサーバ１２６とのリンクはオンライン課金を実装するＷｏインターフェースであるが、ＨＬＲ  １３２と３ＧＰＰ  ＡＡＡプロキシサーバ１２６とのリンクはＵＥ  １０５の認証を提供するＤ’／Ｇｒ’インターフェースを使用し、さらにＨＳＳ  １３０と３ＧＰＰ  ＡＡＡプロキシサーバ１２６とのリンクは認証手順を実装するＷｘインターフェースを利用する。
【００１４】
ＰＤＧは、ＰＤＮを３ＧＰＰ相互作用ＷＬＡＮに接続するノードである。ＰＤＧのロケーションは、ＷＬＡＮにアクセスする個々のサービスごとに異なる。一部のＷＬＡＮ接続では、ＰＤＧを使用しない。一部のアクセスサービスではＰＤＧがホームネットワーク内にあり、別のアクセスサービスではＰＤＧがビジターネットワーク内にある。
【００１５】
ＰＤＧは、ＷＬＡＮ−３ＧＰＰに接続するユーザのルーティング情報を保持しており、図３と図６に示すＰＤＮ  １４０とＷＬＡＮ−３ＧＰＰに接続するユーザとの間で受信／送信されるパケットデータをルーティングし、アドレスの変換とマッピングを行い、オフラインおよびオンライン課金のためのユーザデータトラフィックに関連する課金情報を生成する。
【００１６】
ＳＭＳゲートウェイＭＳＣ（ＧＭＳＣ）（すなわち図３に示すＣＳＣＦ  １２１）からのショートメッセージ送信プロトコルデータユニット（ＴＰＤＵ）を受信する場合に、ＰＤＧ  １１９はショートメッセージＴＰＤＵの受信を担当する。
【００１７】
ＰＤＧ  １１９でエラーが検出された場合に、ＰＤＧ  １１９はＳＭＳ−ＧＭＳＣ（すなわち図３に示すＣＳＣＦ  １２１）に適切なエラー情報をエラーレポートとして返す。ＰＤＧ  １１９でエラーが検出されない場合に、ＰＤＧ  １１９はショートメッセージをカプセル化し、ＷＬＡＮ  １０９を経由してＵＥ  １０５に転送する。
【００１８】
ＵＥ  １０５でメッセージを受信したという確認を受信すると、ＰＤＧ  １１９はこの配信確認を配信レポートとしてＳＭＳ−ＧＭＳＣ（ＣＳＣＦ）（すなわち図３に示すＣＳＣＦ  １２１）に中継する。
【００１９】
ＵＥ  １０５に転送するショートメッセージのエラーレポートを受信すると、ＰＤＧ  １１９は適切なエラー情報をエラーレポートとしてＳＭＳ−ＧＭＳＣ  １２１（図３に示す）に返す。
【００２０】
ＵＥ  １０５からショートメッセージＴＰＤＵを受信すると、ＰＤＧ  １１９はショートメッセージＴＰＤＵの受信とリレーサブレイヤプロトコル−デスティネーションアドレス（ＲＰ−ＤＡ）パラメータの検査を担当する。
【００２１】
このパラメータが適切でない場合に、ＰＤＧ  １１９は適切なエラー情報をエラーレポートとしてＵＥ  １０５に返す。
【００２２】
パラメータのエラーが検出されない場合に、ＰＤＧ  １１９はＳＭＳ−ＧＭＳＣ（すなわち図３に示すＣＳＣＦ  １２１）にショートメッセージＴＰＤＵを返す。
【００２３】
ショートメッセージサービスすなわち相互作用メッセージサービスセンター（ＳＭＳ−ＩＷＭＣＳ：short message service - interworking message service center）（簡単にするために図示せず）からショートメッセージのレポートを受信すると、ＰＤＧはＵＥ  １０５にレポートを中継する。
【００２４】
新しい参照ポイントＷｉは、図３に示すように、ＩＭＳサブシステム（ＣＳＣＦ）１２１とＰＤＧ  １１９とのインターフェースである。
【００２５】
Ｗｉ参照ポイントは、ＰＳドメインが提供するＧｉ参照ポイントと同様である。パケットデータネットワークとの相互作用は、ＩＰに基づくＷｉ参照ポイントを経由して提供される。参照ポイントＷｉを経由して移動端末で提供されるサービスは、オペレータのパブリックアドレス方式（ｐｕｂｌｉｃ  ａｄｄｒｅｓｓｉｎｇ  ｓｃｈｅｍｅ）またはプライベートアドレス方式を使用してグローバルにアドレスを指定できる。例えば、３ＧＰＰネットワークにＩＰマルチメディア（ＩＭ：ＩＰ  ｍｕｌｔｉ  ｍｅｄｉａ）−コアネットワーク（ＣＮ：ｃｏｒｅ  ｎｅｔｗｏｒｋ）、すなわちＩＭ−ＣＮサブシステムが提供された場合に、参照ポイントＷｉはポリシー制御インターフェースを提供する。
【００２６】
図４は、Ｉ−ＷＬＡＮを経由したＳＩＰ登録手順を示している（ユーザが未登録の場合）。アプリケーションレベルの登録は、アクセス登録が実行され、アクセスネットワークからのシグナリングのＩＰ接続が確立してから開始される。この手順を以下に示す。
【００２７】
ステップＳ１において、ＵＥがＷＬＡＮネットワークを経由してＩＰ接続を確立すると、ＵＥはＩＭ登録を実行する。ステップＳ２において、ＵＥはＳＩＰ登録情報フローをＰＤＧに送信する。ＰＤＧは、ステップＳ３において、登録メッセージを調べてターゲットＣＳＣＦを決定し、ステップ４において登録メッセージをターゲットＣＳＣＦに送信する。
【００２８】
ステップＳ５にいて、登録情報フローを受信すると、ＣＳＣＦはＨＬＲ／ＨＳＳ内のユーザプロファイルを確認し、ステップＳ６において（加入者ＩＤ、ホームドメイン名について）Ｃｘ−Ｑｕｅｒｙ情報をＨＳＳに送信する。ステップＳ７で、ＨＳＳはユーザがすでに登録されているかどうかを確認し、ＨＬＲ／ＨＳＳからＣＳＣＦにＣｘ−Ｑｕｅｒｙ  Ｒｅｓｐｏｎｓｅ（Ｒｅｓｐ）を送信する。ステップＳ６において、ＨＳＳはＣｘ−Ｑｕｅｒｙが成功しなかったことを確認すると、Ｃｘ−Ｑｕｅｒｙ  Ｒｅｓｐで登録の試行を拒否する。
【００２９】
このステージでは、ユーザの認証が完了していることが仮定される。ただし、これは情報フローの早期のポイントにおいて確認できる。
【００３０】
ステップＳ８において、ＣＳＣＦ（すなわちサービングＣＳＣＦ（Ｓ−ＣＳＣＦ））はユーザプロファイルを更新し、ステップＳ９においてＨＬＲ／ＨＳＳにＣｘ−Ｐｕｔメッセージ（加入者ＩＤ、Ｓ−ＣＳＣＦ名）を送信する。ＨＳＳは、ステップＳ９に応答し、その加入者のＳ−ＣＳＣＦ名を格納し、ステップＳ１０において、ＨＳＳはＳ−ＣＳＣＦにＣｘ−Ｐｕｔ  Ｒｅｓｐメッセージを送信し、Ｃｘ−Ｐｕｔメッセージの受信を認識する。
【００３１】
ステップＳ１１において、Ｃｘ−Ｐｕｔ  Ｒｅｓｐメッセージを受信すると、Ｓ−ＣＳＣＦはＨＳＳにＣｘ−Ｐｕｌｌ情報フロー（加入者ＩＤ）を送信し、ステップＳ１２において、加入者プロファイルから該当する情報をＳ−ＣＳＣＦにダウンロードする。
【００３２】
ステップＳ１３において、Ｓ−ＣＳＣＦは指定されたユーザに関する情報を格納する。名前／アドレス情報に加えて、Ｓ−ＣＳＣＦ内で使用するセキュリティ情報も送信できる。
【００３３】
ステップＳ１４において、Ｓ−ＣＳＣＦはＳＩＰ  ２００  ＯＫ情報フロー（サービングネットワークコンタクト情報（ＳＮＣＩ））をＰＤＧに返す。
【００３４】
ステップＳ１５において、ＰＤＧは情報フローＳＩＰ  ２００  ＯＫ（ＳＮＣＩ）をＷＬＡＮに送信する。ステップＳ１６で、ＷＬＡＮはＳＩＰ  ２００  ＯＫメッセージをＵＥに送信する。
【００３５】
図５は、ＷＬＡＮを経由したＩＭＳベースのサービスの終了手順を示すデータフロー図である。ＷＬＡＮ  ２０３は、ＵＥ  ２０１に、またＰＤＧ  ２０５に結合される。ＷＬＡＮ  ２０３、ＵＥ  ２０１、ＰＤＧ  ２０５との通信は、標準のＩＰベースのリンクを経由する（ステップＳ０）。ステップＳ１において、到着するＳＩＰコールを受信すると、ＣＳＣＦ  ２０２はモバイルルーティング情報を取得し、ステップＳ２において、ＨＬＲ  ２０４にルーティング情報を送信する。ステップＳ３において、ＨＬＲ  ２０４はこのルーティング情報に応答し、ＣＳＣＦ  ２０２にＰＤＧアドレスを送信する。ステップＳ４において、ＣＳＣＦ  ２０２はＳＩＰ  ＩｎｖｉｔｅメッセージをＨＬＲ  ２０４から返されたＰＤＧアドレスのＰＤＧ  ２０５に送信する。ステップＳ５において、ＰＤＧ  ２０５はＳＩＰ  Ｉｎｖｉｔｅメッセージを受信するとＷＬＡＮ  ２０３／ＵＥ  ２０１を検出し、ステップＳ６において、ＷＬＡＮ  ２０３にＳＩＰ  Ｉｎｖｉｔｅメッセージを送信することでＷＬＡＮ  ２０３に通知する。ステップＳ７において、ＷＬＡＮ  ２０３は到着するＳＩＰコールの存在についてＵＥ  ２０１にアラートを発行する。ＵＥ  ２０１でＳＩＰコールを承認すると、ステップＳ８において、ＵＥ  ２０１はＷＬＡＮ  ２０３に承認メッセージを送信する。ステップＳ９において、ＷＬＡＮ  ２０３はＳＩＰ  ２００  ＯＫメッセージをＰＤＧ  ２０５に送信する。ステップＳ１０で、ＰＤＧ  ２０５はＣＳＣＦ  ２０２にＳＩＰ  ２００  ＯＫメッセージを送信することでＳＩＰ  ２００  ＯＫメッセージに応答する。ステップＳ１１において、ＣＳＣＦ  ２０２はＳＩＰ  ２００  ＯＫメッセージをセルラーネットワークに送信する。
【００３６】
図６は、ＣＳＣＦ  １２３として示されたＭＧＷとＰＤＧ  １１９とのインターフェースとして使用される例示的な参照ポイントＷｉを示している（ＰＤＧの詳細についてはすでに説明した）。すでに説明したように、図３はＩＭＳサブシステム（ＣＳＣＦ）とＰＤＧとのインターフェースとして使用するインターフェースＷｉを示している。
【００３７】
以上、ＷＬＡＮを経由してＩＰマルチメディアサブシステム（ＣＳＣＦ）にアクセスするための例示的な方法およびアーキテクチャについて説明した。本発明について、好ましい実施形態に関連して詳細に示し、説明してきたが、本明細書の以上の部分に示す本発明の範囲を逸脱することなく、その形態および細部の様々な変更が可能なことは、当業者には理解されるであろう。
【図面の簡単な説明】
【００３８】
【図１】呼状態制御機能（ＣＳＣＦ）とゲートウェイＧＰＲＳサポートモードＧＧＳＮとのＧｉインターフェースを経由した直接接続を備える従来のアーキテクチャを示す概略図である。
【図２】相互作用ＷＬＡＮと３ＧＰＰネットワークを示す概略図である。
【図３】ＩＭＳサブシステム（すなわちＣＳＣＦ）とＰＤＧとの接続ポイントＷｉを示す概略図である。
【図４】相互作用ＷＬＡＮ（Ｉ−ＷＬＡＮ）を経由したセッション開始プロトコル（ＳＩＰ）の登録（ユーザは登録されていない場合）を示すフロー図である。
【図５】ＷＬＡＮを経由したＩＭＳベースのサービスの終了を示すフロー図である。
【図６】メディアゲートウェイ（ＭＧＷ）とＰＤＧとのインターフェースを示す概略図である。
【図１】
2006525762.tif 000003
【図２】
2006525762.tif 000004
【図３】
2006525762.tif 000005
【図４】
2006525762.tif 000006
【図５】
2006525762.tif 000007
【図６】
2006525762.tif 000008
【国際調査報告】
2006525762.tif 000009
2006525762.tif 000010